(57)【要約】      （修正有）【課題】自然な皺をランダムにちりばめて斬新且つシックな意匠を表現でき、それによって日本美や幻想的な雰囲気をも演出することができるようにした新規で且つ画期的な内装施工方法及びこの方法で施工された内装を建物の施主や舞台の演出家、イベントの主催者などに対して事前打ち合わせで詳細に説明し、明解に理解させることができる建物内装の施工サンプル体を提供する。【解決手段】表面が扁平な基板２と、この基板２の表面に水性糊が硬化した接着層を介して貼付された表面紙４とを有した施工サンプル体であって、表面紙４には互いに分散配置となる多数箇所を曲線状、折れ線状、枝分かれ線状に基板２から突出させることによって表現した大小の皺５が設けられたものとする。【選択図】図１
0003154320.tif 000002
【実用新案登録請求の範囲】
【請求項１】
表面が扁平な基板（２）と、この基板（２）の表面に水性糊が硬化した接着層（３）を介して貼付された表面紙（４）とを有し、表面紙（４）には互いに分散配置となる多数箇所を曲線状、折れ線状、枝分かれ線状に基板（２）から突出させることによって表現した大小の皺（５）が設けられていることを特徴とする建物内装の施工サンプル体。
【請求項２】
前記表面紙（４）に設けられた皺（５）には、接着層（３）と表面紙（４）との間に空気層（１０）を生じさせることで突出向きを可変とする変形可能皺（５Ａ）が含まれていることを特徴とする請求項１記載の建物内装の施工サンプル体。
【請求項３】
前記基板（２）の表面に表面紙（４）の無貼付領域（６）が設けられ、この無貼付領域（６）に文字、写真、図で表現された表示面（１２）が形成されていることを特徴とする請求項１又は請求項２記載の建物内装の施工サンプル体。
【請求項４】
前記基板（２）の表面が複数に区画割りされており、各区画に対し、それぞれ皺パターンの異なる表面紙（４）が貼付されていることを特徴とする請求項１乃至請求項３のいずれか1項に記載の建物内装の施工サンプル体。
【考案の詳細な説明】
【技術分野】
【０００１】
本考案は、建物内装の施工サンプル体に関するものである。
【背景技術】
【０００２】
従来、建物の内装として、自然な皺をランダムにちりばめて斬新且つシックな意匠を表現する（それによって日本美や幻想的な雰囲気などを演出する）ことがある。このような内装を施工するには、乾燥後にもボリューム感を生じさせることのできる塗料を、吹き付け法や刷毛塗り法により所々に塗料の塊が生じるようにしつつ塗布する方法が一般的に採用されている。
【０００３】
しかし、この施工方法は極めて面倒であると共に卓越した熟練技術を要するものであり、また施工中に周辺を汚すおそれがあるために、これを防ぐうえで更なる手間が必要という問題があった。しかも、塗料の乾燥や塗料臭の放逸などに長時間を要するという問題もあった。
のみならず、この施工方法で得られた内装は、塗料の表面張力が原因して皺の突縁に鋭角な稜線を出すことができず、シャープな印象を表現し難い（陰影を強調させ立体的なイメージを出すうえで重要な要素とされる）という問題があって、これらのことから簡単には採用できないものであった。
【０００４】
そこで、紙面いっぱいに皺が設けられた皺付き加工紙を予め製造しておき、この皺付き加工紙を内装材として壁面などに貼付する方法が創案され、そのための皺付き加工紙が開発されるに至っている。この皺付き加工紙を製造するには、乾燥状態の長尺紙を特殊な装置（皺付け用に繰り返し往復動をするように構成させた一対のローラ装置）を具備した専用の製造ラインが必要であった（特許文献１参照）。
【先行技術文献】
【特許文献】
【０００５】
【特許文献１】特開昭６３−１５２５００号公報
【考案の概要】
【考案が解決しようとする課題】
【０００６】
従来、開発された皺付き加工紙に関しては、専用の製造ラインを用いることにより大量生産が可能であるなどと謳われているが、需要（施工の受注）が少なければ高コストになることは必定である。また、せっかく当初から皺が設けられているとしても、壁面などへの貼り付け時には皺付き加工紙が糊などに含まれる水分を吸水して弛みが生じるものであり、一つ一つの皺がだれてしまう（シャープさが消失してしまう）ということがあった。またその後、皺付き加工紙が乾燥するときには収縮するから、これによって皺が引き延ばされてしまうことさえもあった。
【０００７】
このようなことから、この皺付き加工紙を壁面などに貼り付けても、その壁面全体から得られる意匠性としては皺数が少なく、一つ一つの皺は短くて突出量が小さく、シャープさがないものとなってしまっていることが多かった。すなわち、十分な陰影が生じないために壁面の凹凸感、立体感が乏しく、表現力も貧弱なものになってしまうという不満があった。
【０００８】
そこで本考案者は、これらの問題を一気に解消しつつ、皺数、皺の長さや突出量、皺のシャープさなどについて、強調させることにも抑え気味にすることにも柔軟に対応でき、しかも低コスト、短期間で施工できるようにした全く新規で画期的な内装施工方法を開発した（詳細は後述する）。
この内装施工方法によれば、自然な皺をランダムにちりばめて斬新且つシックな意匠を表現でき、それによって日本美や幻想的な雰囲気をも演出することができるものである。但し、この内装施工方法では、塗料の塗布方法（吹き付け法や刷毛塗り法）でも、皺付き加工紙の貼り付け法でも表現できなかったような内装に仕上げることができるものの、そうであるが故に（前例のない新規で画期的な内装であるが故に）、それを建物の施主や舞台の演出家、イベントの主催者などに対して事前打ち合わせで詳細に説明し、明解に理解させるのが難しいということがあった。
【０００９】
本考案は、上記事情に鑑みてなされたものであって、自然な皺をランダムにちりばめて斬新且つシックな意匠を表現でき、それによって日本美や幻想的な雰囲気をも演出することができるようにした新規で且つ画期的な内装施工方法及びこの方法で施工された内装について、それを建物の施主や舞台の演出家、イベントの主催者などに対して事前打ち合わせで詳細に説明し、明解に理解させることができるようにするための建物内装の施工サンプル体を提供することを目的とする。
【課題を解決するための手段】
【００１０】
前記目的を達成するために、本考案は次の手段を講じた。
即ち、本考案に係る建物内装の施工サンプル体は、表面が扁平な基板と、この基板の表面に水性糊が硬化した接着層を介して貼付された表面紙とを有し、表面紙には互いに分散配置となる多数箇所を曲線状、折れ線状、枝分かれ線状に基板から突出させることによって表現した大小の皺が設けられた構成としてある。
【００１１】
このような構成であると、自然な皺をランダムにちりばめて斬新且つシックな意匠を表現でき、それによって日本美や幻想的な雰囲気をも演出することができるようにした内装施工方法及びこの方法で施工された内装について、その実物を、建物の施主や舞台の演出家、イベントの主催者などに見せることができ、また直接に手で触ってもらうこともできる。そのため、事前打ち合わせにおいて詳細に説明し、明解に理解させることができる。
【００１２】
表面紙に設けられた皺には、接着層と表面紙との間に空気層を生じさせることで突出向きを可変とする変形可能皺が含まれたものとするのが好適である。
このようにすることで、皺としても、また表面紙全体としても、表現力の豊かなものを得ることができる。また、施工後（水性糊の硬化後）にも皺の表現を所定範囲で変更することができるので、表面紙全体としてのバランスを考えながら皺表現を調整したり、長期使用後の雰囲気変え（軽度の模様替え）などにも対応できることになる。
【００１３】
なお、変形可能皺を設ける配置パターンによっては、変形可能皺の空気層によって吸音性、吸湿性、保温性などが期待できるといったことを、その実感としてアピールすることもできる。
基板の表面に表面紙の無貼付領域が設けられ、この無貼付領域に文字、写真、図で表現された表示面が形成されたものとしてもよい。
【００１４】
このようにすることで、より一層、理解を助け、高い説得力が得られるものとなる。
基板の表面が複数に区画割りされており、各区画に対し、それぞれ皺パターンの異なる表面紙が貼付されているものとすることができる。
このようにすることで、種々様々な皺パターンを一様に遠ざけたり近づけたりして見比べることができ、比較検討が容易となる。また、持ち運びなどに便利となる。
【考案の効果】
【００１５】
本考案に係る建物内装の施工サンプル体は、自然な皺をランダムにちりばめて斬新且つシックな意匠を表現でき、それによって日本美や幻想的な雰囲気をも演出することができるようにした新規で且つ画期的な内装施工方法及びこの方法で施工された内装について、それを建物の施主や舞台の演出家、イベントの主催者などに対して事前打ち合わせで詳細に説明し、明解に理解させることができるようになる。
【図面の簡単な説明】
【００１６】
【図１】本考案に係る建物内装の施工サンプル体における第１実施形態を示した斜視図である。
【図２】基板に対して表面紙を貼付する方法を説明した斜視図である。
【図３】図１のＡ−Ａ線断面図である。
【図４】本考案に係る建物内装の施工サンプル体における第２実施形態を示した斜視図である。
【図５】本考案に係る建物内装の施工サンプル体における第３実施形態を示した斜視図である。
【考案を実施するための形態】
【００１７】
以下、本考案の実施の形態を、図面に基づき説明する。
図１乃至図３は、本考案に係る建物内装の施工サンプル体１の第１実施形態を示している。この施工サンプル体１は、表面が扁平な基板２と、この基板２の表面に水性糊が硬化した接着層３を介して貼付された表面紙４とを有している。
そして表面紙４には大小の皺５が多数設けられている。本第１実施形態では、基板２の表面が複数に区画割りされており（図例では４区画とした）、各区画に対し、皺パターンの異なる表面紙４が貼付されているものとした。更に基板２の表面には、表面紙４の無貼付領域６が設けられているものとしてある。
【００１８】
基板２は、ベニヤ合板や無垢の木板、厚手のボール紙、段ボール等により形成されたもので、持ち運びに適当な大きさ、及び重さとされている。その他、プラスチック製の板や発泡材、無機質材製のボードなどを採用することも可能である。これら材質や板厚、平面大きさ、重さなどに関しては、特に限定されるものではない。平面大きさの一例としては、横４５ｃｍ、縦７５ｃｍなどとすればよい。
【００１９】
表面紙４は、着色した加工紙や和紙など、吸水性及び吸水時に軟化する特性を有した紙によって形成されたものである。吸水時及び乾燥時において、ある程度のコシの強さや破れ難さを有している点も必要とされる。
表面紙４に設けられた皺５は互いに分散状態で多数箇所に配置されたもので、曲線状のものや、折れ線状のもの、枝分かれ線状になったものなど、種々様々なものが混在している。
【００２０】
また図３に示すように、各皺５には、基板２から突出した状態に形成されたものであって、接着層３と表面紙４との間に空気層１０を生じさせたもの（５Ａ）や、空気層１０を生じさせていないもの（５Ｂ，５Ｃ）が含まれている。空気層１０を生じさせたものは、その突出量が大きくなる傾向にあるため、施工後（水性糊の硬化後）にもその表情（皺５としての表現）を所定範囲で変更することのできる変形可能皺となる。
【００２１】
なお、空気層１０を生じさせるか否かの事情と、変形可能皺として作用するか否かの事情との間には直接的な因果関係はなく、空気層１０を生じさせていなくても突出量を大きくすることで変形可能皺とさせることは可能（図３の符号５Ｂなど参照）であるし、反対に空気層１０を生じさせても突出量が小さければ変形可能皺とならない場合もある。
変形可能皺とさせた皺５（例えば図３の符号５Ａ）は、表面紙４の全体としてのバランスを考えながら皺表現を調整したり、長期使用後の雰囲気変え（軽度の模様替え）などにも対応できることになる。
【００２２】
基板２に設けられた無貼付領域６には、文字、写真、図で表現された表示面１２が形成されている。この表示面１２には、例えば、皺５によって得られる室内雰囲気の特徴を解説したり、表面紙４の材質や厚さ、ザラツキ度や起毛の有無などの表面性状、光沢の有無や色、それに皺パターンの種類などにおけるレパートリーを解説したりすればよい。勿論、会社名や内装種に付したロゴ、施工者名などを表示してもよい。
【００２３】
なお、この表示面１２は、基板２に対して直接的に印刷や塗装を施すことで形成してもよいし、印刷紙、ポスター、写真などを貼り付けることで形成してもよいし、更にはプラスチック製、木製又は金属製のシートやプレートなどを貼り付けることで形成してもよい。
表面紙４に対して皺５を設けるには、本考案者が開発した全く新規で画期的な内装施工方法による。すなわち、表面紙４の裏面に予め霧吹きなどで水分を付与し、その状態で表面紙４の裏面に水性糊を満遍なく塗布する。水性糊としては、一般に壁紙貼付用として市販されているものが好適であるが、その他、澱粉糊や木工用ボンドなどでもよい。
【００２４】
水性糊の塗布後、適宜養生させるか又は養生させることなく、この表面紙４を基板２の表面に貼り付ける。ここで図２に示すように、水性糊が乾燥硬化する前に表面紙４に対し、基板２の表面に沿う方向で力を加え、皺５を生じさせるようにする。力の加える方向や力の程度、回数、ストロークなどを適宜変えることで、所望に応じた皺パターンにしてゆく。その後、水性糊が硬化するのを待てばよい。水性糊が硬化して接着層３を形成した後、必要に応じ、変形可能皺とさせた皺５の表情（曲がり具合や突出向きなど）を調整すればよい。
【００２５】
なお、表面紙４に対し、水分を付与する手順と水性糊を塗布する手順とを逆にしてもよい。またこれらに先立ち、表面紙４を手作業でクシャクシャに揉むようにして、皺目をつけておくようにしてもよい。更に、表面紙４を基板２に貼り付けるときに、予め基板２側も霧吹きなどで濡らしておくようにしてもよい。これらの態様は、得ようとする皺パターンや施工環境（湿度や気温、基板２の表面性状など）に応じて適宜変更することが可能である。
【００２６】
このような構成を具備して成る本考案の施工サンプル体１であると、自然な皺５をランダムにちりばめて斬新且つシックな意匠を表現でき、それによって日本美や幻想的な雰囲気をも演出することができるようにした内装施工方法及びこの方法で施工された内装について、その実物を、建物の施主や舞台の演出家、イベントの主催者などに見せることができるものである。また直接に手で触ってもらうこともできる。
【００２７】
このようなことから、施主、演出家、主催者などに対して事前打ち合わせで詳細に説明することができ、そのうえで明解に理解させることができるという利点がある。本第１実施形態では、基板２の表面に設けられた複数区画に対し、それぞれ皺パターンの異なる表面紙４が貼付されているので、それらの皺パターンを一様に遠ざけたり近づけたりして見比べることができ、比較検討が容易となる。
【００２８】
図４は、本考案に係る建物内装の施工サンプル体１の第２実施形態を示している。この第２実施形態の施工サンプル体１は、基板２の表面が区画割りされておらず、従って一つの雛パターンを有する表面紙４が貼付されているだけである。しかし、このような施工サンプル体１であっても、皺パターンの異なる表面紙４が貼付されたものを複数種、準備し、それらを組み合わせて（ひとまとめにして）持ち運ぶようにすれば、結果として、複数種の皺パターンを施主などに見せたり、触らせたりすることができる。
【００２９】
図５は、本考案に係る建物内装の施工サンプル体１の第３実施形態を示している。この第３実施形態の施工サンプル体１は、第２実施形態で示したような複数種の施工サンプル体１（それぞれ皺パターンの異なる表面紙４が貼付されたもの）が、それらの一辺部で綴じられ、全体としてブックタイプのサンプル帳１５を構成するようになったものである。なお、この場合、各施工サンプル体１は一辺が２０ｃｍ程度としておくと取り扱いが便利である。
［その他］
【００３０】
本考案は、上記実施形態に限定されるものではなく、実施の形態に応じて適宜変更可能である。
例えば、前記したように基板２、接着層３（水性糊）、表面紙４について、それらの材質や寸法、物性などは、前記した事項を除いては何ら限定されるものではない。
【符号の説明】
【００３１】
１  施工サンプル体
２  基板
３  接着層
４  表面紙
５  皺
５Ａ  変形可能皺
６  無貼付領域
１０  空気層
１２  表示面
【図１】
0003154320.tif 000003
【図２】
0003154320.tif 000004
【図３】
0003154320.tif 000005
【図４】
0003154320.tif 000006
【図５】
0003154320.tif 000007